(57)【要約】【課題】処置具が挿入される際に処置具の先端硬質部が引っ掛かり難くて、処置具を処置具挿通チャンネルにスムーズに挿脱させることができる内視鏡を提供すること。【解決手段】処置具挿通チャンネル３に処置具を導入するための処置具導入路１０が、処置具挿入口１０ａから略真っ直ぐに形成された直線部と、その直線部の奥において処置具挿通チャンネル３の基端開口に向けて滑らかにカーブして形成されたカーブ部とを有する内視鏡において、処置具導入路１０の軸線に対して垂直な断面の断面形状を、少なくとも直線部（１２，１５，１７，１８）の中程位置からカーブ部（１１）の中程位置までの範囲において、カーブを含む平面の方向に細長い略長円形状に形成した。【選択図】　　　図１
2004141283.tif 000002
【特許請求の範囲】
【請求項１】
挿入部内に挿通配置された処置具挿通チャンネルに処置具を導入するための処置具導入路が、処置具挿入口から略真っ直ぐに形成された直線部と、その直線部の奥において上記処置具挿通チャンネルの基端開口に向けて滑らかにカーブして形成されたカーブ部とを有する内視鏡において、
上記処置具導入路の軸線に対して垂直な断面の断面形状を、少なくとも上記直線部の中程位置から上記カーブ部の中程位置までの範囲において、上記カーブを含む平面の方向に細長い略長円形状に形成したことを特徴とする内視鏡。
【請求項２】
上記処置具導入路の断面形状が、両端付近を除いて略全長にわたって略長円形状に形成されている請求項１記載の内視鏡。
【発明の詳細な説明】
【０００１】
【発明の属する技術分野】
この発明は内視鏡に関する。
【０００２】
【従来の技術】
内視鏡を利用して処置具を用いるために、挿入部内に挿通配置された処置具挿通チャンネルに処置具を導入するための処置具導入路が操作部に設けられている。
【０００３】
そのような、処置具導入路の入口である処置具挿入口は、使い勝手の上から斜め上方に向けて開口配置されている。その結果、処置具導入路は、処置具挿入口から略真っ直ぐに形成された直線部と、その直線部の奥において処置具挿通チャンネルの基端開口に向けて滑らかにカーブして形成されたカーブ部とを有するのが普通である。
【０００４】
しかし、単純にそのように構成すると、処置具の先端硬質部等が処置具導入路のカーブ部で引っ掛かって、にっちもさっちもいかなくなってしまう場合がある。そこで従来は、例えば特許文献１に記載されているように、カーブを含む平面上における処置具導入路の内径を直線部の内径より大きく縦長に形成していた。
【０００５】
【特許文献１】
実公平４−６７２７号公報
【０００６】
【発明が解決しようとする課題】
しかし、実際に処置具の先端硬質部が処置具導入路を通過する際に引っ掛かるのは、直線部からカーブ部にまたがる位置なので、上述のように処置具導入路のカーブ部の断面形状だけを縦長に形成してもその効果は小さく、依然として処置具挿入時に先端硬質部が引っ掛かって、にっちもさっちもいかなくなる場合があった。
【０００７】
そこで本発明は、処置具が挿入される際に処置具の先端硬質部が引っ掛かり難くて、処置具を処置具挿通チャンネルにスムーズに挿脱させることができる内視鏡を提供することを目的とする。
【０００８】
【課題を解決するための手段】
上記の目的を達成するため、本発明の内視鏡は、挿入部内に挿通配置された処置具挿通チャンネルに処置具を導入するための処置具導入路が、処置具挿入口から略真っ直ぐに形成された直線部と、その直線部の奥において処置具挿通チャンネルの基端開口に向けて滑らかにカーブして形成されたカーブ部とを有する内視鏡において、処置具導入路の軸線に対して垂直な断面の断面形状を、少なくとも直線部の中程位置からカーブ部の中程位置までの範囲において、カーブを含む平面の方向に細長い略長円形状に形成したものである。
【０００９】
なお、処置具導入路の断面形状が、両端付近を除いて略全長にわたって略長円形状に形成されていてもよい。
【００１０】
【発明の実施の形態】
図面を参照して本発明の実施例を説明する。
図３は内視鏡の操作部１を示しており、その下端には挿入部２の基端が連結されている。
【００１１】
挿入部２内に全長にわたって挿通配置された例えば四フッ化エチレン樹脂チューブ等からなる処置具挿通チャンネル３の基端は操作部１内に導入されて、操作部１の下端付近から斜め上方に向けて突出形成された処置具挿入部４内の処置具導入路１０に連通接続されている。５０は、処置具導入路１０の入口部分に着脱自在に取り付けられたゴム製の鉗子栓である。
【００１２】
処置具挿入部４の根元付近の内部において処置具挿通チャンネル３から分岐された吸引チャンネル５は、操作部１の上半部に配置されている吸引操作弁６のシリンダ体７に接続されている。８は吸引操作釦である。
【００１３】
図１は処置具挿入部４付近を示しており、処置具挿通チャンネル３の基端開口は、ステンレス鋼製パイプを滑らかにカーブさせて形成されたチャンネル接続パイプ１１に、金属製の接続管３ａを介して接続されている。
【００１４】
処置具挿入部４の根元部分にはステンレス鋼製の分岐接続部材１２が配置されていて、その分岐接続部材１２に形成されたＴ字状の管路には、貫通路の下端側にチャンネル接続パイプ１１が接続され、側面の分岐端側に接続パイプ１３を介して吸引チャンネル５が接続されている。１４は、分岐接続部材１２に対する接続パイプ１３の取り付け座である。
【００１５】
１５は、処置具挿入部４内に配置されたステンレス鋼製の引き寄せ筒体であり、その上端側に形成された鍔１５ａが処置具挿入部４に形成されている孔の段部に引っ掛かることにより、引き寄せ筒体１５が処置具挿入部４の底付近より奥に入ることができないようになってる。
【００１６】
引き寄せ筒体１５の下端側部分には、分岐接続部材１２の上端部分に形成されている雄ネジと螺合する雌ネジが形成されていて、両ネジを図１に示されるように螺合させることにより、分岐接続部材１２が、引き寄せ筒体１５によって処置具挿入部４の底部内に引き寄せられて固定される。
【００１７】
分岐接続部材１２と引き寄せ筒体１５とのあい対向する端面の各軸線位置にはほぼ同寸法の管路開口が向かい合わせに形成されていて、その間にシール用のＯリング１６が挟み込まれている。
【００１８】
処置具挿入部４に形成されている貫通孔の上半部には、ステンレス鋼製の処置具挿入口金１８が、貫通孔の口元付近に螺合する押さえ管１９によって押圧固定されている。
【００１９】
引き寄せ筒体１５と処置具挿入口金１８とのあい対向する端面の各軸線位置には、ほぼ同寸法の管路開口が向かい合わせに形成されていて、その間に環状パッキング１７が挟み込まれている。環状パッキング１７の内部孔は、引き寄せ筒体１５と処置具挿入口金１８の各管路開口に対してほぼ段差の生じない寸法形状に形成されている。
【００２０】
そのような処置具挿入口金１８の外端開口が処置具を差し込むための処置具挿入口１０ａになっていて、処置具挿入口１０ａの内側部分は注射筒を差し込めるように先細りのテーパ孔１８ａになっている。
【００２１】
このようにして、処置具挿通チャンネル３に処置具を導入するための処置具導入路１０が、処置具挿入口金１８、環状パッキング１７、引き寄せ筒体１５、分岐接続部材１２及びチャンネル接続パイプ１１に形成されている。
【００２２】
そして、そのうちの処置具挿入口金１８、環状パッキング１７、引き寄せ筒体１５及び分岐接続部材１２の部分は、処置具挿入口１０ａから略真っ直ぐな直線部であり、チャンネル接続パイプ１１の部分は、直線部から処置具挿通チャンネル３の基端開口に向けて滑らかにカーブするカーブ部になっている。
【００２３】
そのような処置具導入路１０のうち、基端である処置具挿入口金１８のテーパ孔１８ａと先端であるチャンネル接続パイプ１１の接続管３ａへの接続部付近を除く全範囲（図１に砂目状に示される部分）の断面形状が、図２に示されるように長円形状に形成されている。なお、図１及び図２に砂目状に示されている部分は空間である。
【００２４】
即ち、処置具導入路１０の断面形状（軸線に対して垂直な断面の断面形状）は、両端付近を除いて、カーブ部のカーブを含む平面の方向に細長い長円形状に形成されている。
【００２５】
したがって、図示されていない処置具が処置具導入路１０を通過する際に、処置具導入路１０の直線部からカーブ部にまたがる範囲において処置具の先端硬質部が引っ掛かり難くて、処置具を処置具挿通チャンネル３にスムーズに挿脱させることができる。
【００２６】
なお、そのように処置具をスムーズに挿脱するためには、必ずしも処置具導入路１０の断面形状を全範囲をわたって長円形状に形成するまでの必要はなく、少なくとも直線部の中程位置からカーブ部の中程位置までの範囲において、カーブを含む平面の方向に細長い長円形状に形成すればよい。
【００２７】
また、その断面形状が厳密な意味での長円形状である必要はなく、例えばある程度楕円に近い形状等であっても差し支えない。
【００２８】
【発明の効果】
本発明によれば、処置具導入路の軸線に対して垂直な断面の断面形状を、少なくとも直線部の中程位置からカーブ部の中程位置までの範囲において、カーブを含む平面の方向に細長い略長円形状に形成したことにより、処置具が挿入される際に処置具導入路の直線部からカーブ部にまたがる部分に処置具の先端硬質部が引っ掛かり難くて、処置具を処置具挿通チャンネルにスムーズに挿脱させることができる。
【図面の簡単な説明】
【図１】本発明の実施例の内視鏡の処置具挿入部付近の側面断面図である。
【図２】本発明の実施例の内視鏡の処置具導入路の、軸線に対して垂直な断面の断面形状を示す断面図（図１におけるＩＩ−ＩＩ断面図）である。
【図３】本発明の実施例の内視鏡の操作部の側面図である。
【符号の説明】
１　操作部
２　挿入部
３　処置具挿通チャンネル
４　処置具挿入部
１０　処置具導入路
１０ａ　処置具挿入口
１１　チャンネル接続パイプ（処置具導入路／カーブ部）
１２　分岐接続部材（処置具導入路／直線部）
１５　引き寄せ筒体（処置具導入路／直線部）
１７　環状パッキング（処置具導入路／直線部）
１８　処置具挿入口金（処置具導入路／直線部）
【図１】
2004141283.tif 000003
【図２】
2004141283.tif 000004
【図３】
2004141283.tif 000005